(57)【要約】      （修正有）【課題】どのようなサイズの額縁フレームにも使用でき、しかも部品点数が１種類でかつ構造も簡単で安価な額縁フレームの補強具を提供する。【解決手段】補強具Ａは、額縁フレームＢの周囲を構成する枠材の少なくとも一つの枠材１と係合する枠材係合部１０と、額縁フレームＢを構成する裏板５と係合する裏板係合部１１とを備える。枠材の裏面に長さ方向に沿って溝部１ａが形成され、枠材係合部は水平板よりなり、水平板が溝部に嵌合するのが好ましい。また、裏板係合部は垂直板よりなり、裏板に接する側に接着層１２を有しており、垂直板と裏板とが接着により係合するのが好ましい。【選択図】図４
0003191625.tif 000002
【実用新案登録請求の範囲】
【請求項１】
額縁フレームの周囲を構成する枠材の少なくとも一つの枠材と係合する枠材係合部と、額縁フレームを構成する裏板と係合する裏板係合部とを備えた
ことを特徴とする額縁フレームの補強具。
【請求項２】
前記枠材係合部が、額縁フレームの枠材の裏面に枠材の長さ方向に沿って形成された溝部に係合する
ことを特徴とする請求項１に記載の額縁フレームの補強具。
【請求項３】
前記枠材係合部が水平板よりなり、
前記水平板が前記溝部に嵌合することにより前記枠材と前記枠材係合部とが係合する
ことを特徴とする請求項２に記載の額縁フレームの補強具。
【請求項４】
前記裏板係合部が垂直板よりなるものであって、当該垂直板は前記裏板に接する側に接着層を有しており、
前記垂直板と裏板とが接着により係合する
ことを特徴とする請求項１に記載の額縁フレームの補強具。
【請求項５】
前記枠材係合部が水平板よりなり、前記裏板係合部が垂直板よりなる断面Ｌ字状をなしている
ことを特徴とする請求項１に記載の額縁フレームの補強具。
【請求項６】
前記枠材係合部が水平板よりなり、前記裏板係合部が垂直板よりなる断面Ｌ字状をなし、
前記水平板が前記溝部に嵌合することにより前記枠材と前記枠材係合部とが係合し、
前記垂直板が前記裏板に接する側に接着層を有しており、
前記垂直板と裏板とが接着により係合する
ことを特徴とする請求項２に記載の額縁フレームの補強具。
【考案の詳細な説明】
【技術分野】
【０００１】
本考案は、絵画やポスター等の平面体を掲示するための額縁フレームの補強具に関する。
【背景技術】
【０００２】
従来より絵画などを飾る荘厳な重量感がある額縁フレームの他に、ポスター等の掲示用や簡易な装飾用等の種々の用途に簡易な額縁フレームが多用されている。
【０００３】
このように多用される簡易な額縁フレームは通常矩形状であり、使い捨てが前提となる場合も多く、したがって安価で軽量であることが要求される。
【０００４】
しかしながら、この額縁フレームも大判サイズになると、表面に配される透明板及び裏面に配される裏板も大きくなり、しかも、左右の枠材及び底部枠材も大きくなるため、額縁フレームの上部枠材を把持すると、透明板、裏板、左右及び底部の枠材の重量が全て上部の枠材に掛かるため、上部の枠材が撓んで透明板や裏板が外れて内部のポスター等が額縁フレームから脱落することがあった。
【０００５】
そこで、下記特許文献１に示される額縁フレームの補強装置が考案された。この額縁フレームの補強装置は、対向する枠材の取付具装着空間に、係止部を介して装着する一対の適宜合成樹脂製の連結材取付具と、この連結材取付具の取付部に、その両端部を夫々固定する横架連結材とからなり、この連結材取付具を対向する枠材相互に取り付け、各連結材取付具間に横架連結材を掛け渡すことにより、対向する枠材相互を連結できるように構成したものである。
【先行技術文献】
【特許文献】
【０００６】
【特許文献１】実用新案登録第３０１０９４６号公報
【考案の概要】
【考案が解決しようとする課題】
【０００７】
しかしながら、上記特許文献１に示される額縁フレームの補強装置は、要するに額縁フレームに横桟を形成するものであり、額縁フレーム１つに対して少なくとも２個の連結材取付具と１個の横架連結材との複数種類の部品を必要とする。したがって、その部品の種類の数に応じてコスト高となる。また、横架連結材は、どのようなサイズの額縁フレームでも適応できる長さに対する汎用性がないので、結局、横架連結材は、額縁フレーム個々の大きさに応じて複数種類のサイズを作成し用意しておく必要があり、製造コストが高くなり、かつ、在庫などが生じて無駄が生ずるおそれがある。
【０００８】
そこで、本考案者は、鋭意研究を重ね、どのようなサイズの額縁フレームであっても使用できる汎用性があり、しかも部品点数が１種類でかつ構造も簡単で安価に提供できる額縁フレームの補強具を考案した。
【課題を解決するための手段】
【０００９】
本考案に係る第１の額縁フレームの補強具は、額縁フレームの周囲を構成する枠材の少なくとも一つの枠材と係合する枠材係合部と、額縁フレームを構成する裏板と係合する裏板係合部とを備えたことを特徴とする。
【００１０】
本考案に係る第２の額縁フレームの補強具は、上記第１の額縁フレームの補強具の構成に加え、前記枠材係合部が、額縁フレームの枠材の裏面に枠材の長さ方向に沿って形成された溝部に係合することを特徴とする。
【００１１】
本考案に係る第３の額縁フレームの補強具は、上記第２の額縁フレームの補強具の構成に加え、前記枠材係合部が水平板よりなり、前記水平板が前記溝部に嵌合することにより前記枠材と前記枠材係合部とが係合することを特徴とする。
【００１２】
本考案に係る第４の額縁フレームの補強具は、上記第１の額縁フレームの補強具の構成に加え、前記裏板係合部が垂直板よりなるものであって、前記垂直板は前記裏板に接する側に接着層を有しており、前記垂直板と裏板とが接着により係合することを特徴とする。
【００１３】
本考案に係る第５の額縁フレームの補強具は、上記第１の額縁フレームの補強具の構成に加え、前記枠材係合部が水平板よりなり、前記裏板係合部は垂直板よりなる断面Ｌ字状をなしていることを特徴とする。
【００１４】
本考案に係る第６の額縁フレームの補強具は、上記第２の額縁フレームの補強具の構成に加え、前記枠材係合部が水平板よりなり、前記裏板係合部が垂直板よりなる断面Ｌ字状をなし、前記水平板が前記溝部に嵌合することにより前記枠材と前記枠材係合部とが係合し、前記垂直板が前記裏板に接する側に接着層を有しており、前記垂直板と裏板とが接着により係合することを特徴とする。
【考案の効果】
【００１５】
本考案に係る額縁フレームの補強具は、上記の構成よりなるので、どのようなサイズの額縁フレームであっても使用できる汎用性があり、しかも部品点数が１種類でかつ構造も簡単で安価に提供できる利点がある。
【図面の簡単な説明】
【００１６】
【図１】本考案の補強具の斜視図である。
【図２】本考案の補強具の断面図である。
【図３】本考案の補強具を取り付けた状態を示す額縁フレームの背面図である。
【図４】図３の補強具を取り付けた部分における拡大断面斜視図である。
【考案を実施するための形態】
【００１７】
以下に本考案の好適な実施例１を図１〜図４に基いて詳細に説明する。
【実施例１】
【００１８】
図１〜図４におけるＡは、本実施例に係る補強具であって、当該補強具Ａは、図３に示すように、額縁フレームＢに係合される。
【００１９】
額縁フレームＢは、図３に示すように、横長の上枠材１、横長の下枠材２、上枠材１及び下枠材２と連結されている左枠材３及び右枠材４から周囲の枠材が構成され、額縁フレームＢの裏面側にこれら枠材１〜４に囲まれて固定される裏板５が嵌め込まれ、表面側には、図４に示すようにＰＥＴシート又はアクリル製の透明板６が嵌め込まれていて、裏板５と透明板６との間にポスターや絵画などのシート状掲示物Ｃが配される。
【００２０】
補強具Ａは、上枠材１に係合する水平板よりなる枠材係合部１０と裏板５に係合する垂直板よりなる裏板係合部１１とから構成され、断面Ｌ字状をなすものである。なお、補強具Ａは合成樹脂で製造すると大量生産が可能となり、コストダウンが図れる利点がある。また、木製とすれば可燃物として廃棄ができ、また間伐材などを使用すれば、コストダウンを図ることができる。さらに金属製とすれば、強度が高める利点がある。また、補強具Ａは断面Ｌ字状のものに限るものではなく、枠材係合部と裏板係合部とを備えていればどのような形状でも差し支えない。
【００２１】
前記水平板よりなる枠材係合部１０は、上枠材１に形成された溝部１ａに嵌め込まれて係止される。図３に示すように、この溝部１ａは、額縁フレームの枠材の裏面に枠材の長さ方向に沿って形成されており、額縁フレームの枠材に一般に形成されているもので、他の溝部２ａ〜４ａと同様に、各枠材１〜４をその四隅において連結するＬ字状の枠材連結部材ｐ、裏板５を固定する回転可能な裏板固定具ｑ及び額縁を吊り下げる際に使用する額縁吊り下げ部材ｒ等を配するために形成されている。
【００２２】
裏板係合部１１には、その垂直板に接着層が配されており、当該接着層は、垂直板に配した接着剤層１２と当該接着剤層に配した剥離シート１３とから構成される。前記接着剤層１２は、両面接着シートを貼付することにより形成され、剥離シート１３は接着剤層１２への貼付面にシリコン樹脂が塗布されて剥離可能にしたものである。なお、前記接着層としては、面ファスナーを使用してもよい。すなわち、垂直板に配した第１接着剤層と、当該第１接着剤層に配した面ファスナーの一方の第１係止シート（例えば雌側の面ファスナー）と、当該第１係止シートに係合させた他方の第２係止シート（例えば雄側の面ファスナー）と、当該第２係止シートに配した第２接着剤層と、第２接着剤層に配した剥離シートとからなる接着層としてもよい。
【００２３】
上記のように補強具Ａを構成することで、額縁フレームＢに対して裏板係合部１１は、その垂直板が裏板５に接着されて固定されるが、枠材係合部１０は単に上枠材１の溝部１ａに嵌まり込んでいるだけなので、容易に取り外すことが可能である。したがって、裏板５を額縁フレームＢから取り外す際には裏板５と共に補強具Ａが取り外されるので、シート状掲示物Ｃの取り換えを容易に行うことができる。むしろ、補強具Ａを・んで裏板５を外すことができるので、裏板５を取り外すのに便利である。
【００２４】
以上のように額縁フレームＢに補強具Ａを係合させることにより、上枠材１に係合した補強具Ａは、その裏板係合部１１が裏板５に固定され、水平係合部１０が上枠材１に係合しているので、上枠材１を持ち上げることにより額縁フレームＢ全体を持ち上げた際に、上枠材１と裏板５とが一体となって持ち上がるので、上枠材１に掛かる荷重が上枠材１及び裏板を除く他の部材だけとなり、上枠材１に掛かる荷重の負担が軽減される。この上枠材１に掛かる荷重の負担が軽減されることにより、上枠材１を持ち上げた際に上枠材１が撓むことがないので、表面側の透明板６やシート状掲示物Ｃが脱落するようなことがない。したがって、額縁フレームＢを安全にかつ楽に持ち運びすることができる。
【００２５】
なお、本実施例においては、横長矩形の額縁フレームＢにおいて、１つの補強具Ａを上枠材１に係合する例を示したが、それに限られるものではなく、例えば額縁フレームのサイズや重量に応じて上枠材１に複数の補強具Ａを配置してもよく、また、額縁フレームＢを縦長に使用する場合には、上枠材となる短辺（図３において左右のいずれか一方の枠材）に補強具Ａを係合させてもよい。また、額縁フレームＢは矩形に限られるものではなく、矩形以外の多角形、楕円や真円を含む円形及びそれらを組み合わせた形状あるいはさらに変形された他の形状であってもよい。
【００２６】
以上のように、本実施例に係る額縁フレームの補強具Ａは、どのようなサイズの額縁フレームであっても使用できる汎用性があり、かつ既存の額縁フレームにも使用可能であり、しかも部品点数が１種類でかつ構造も簡単でるため安価に提供できる。
【００２７】
以上、本考案の実施形態を説明したが、この実施形態は、例として提示したものであり、考案の範囲を限定することは意図していない。この実施形態は、その他の様々な形態で実施されることが可能であり、考案の要旨を逸脱しない範囲で、種々の省略、置き換え、変更を行うことができる。この実施形態やその変形は、考案の範囲や要旨に含まれると同様に、実用新案登録請求の範囲に記載された考案とその均等の範囲に含まれるものである。
【符号の説明】
【００２８】
Ａ………補強具
Ｂ………額縁フレーム
Ｃ………シート状掲示物
ｐ………枠材連結部材
ｑ………裏板固定具
ｒ………額縁吊り下げ部材
１………上枠材
１ａ……溝部
２………下枠材
２ａ……溝部
３………左枠材
３ａ……溝部
４………右枠材
４ａ……溝部
５………裏板
６………透明板
１０……枠材係合部
１１……裏板係合部
１２……接着剤層
１３……剥離シート
【図１】
0003191625.tif 000003
【図２】
0003191625.tif 000004
【図３】
0003191625.tif 000005
【図４】
0003191625.tif 000006